(57)【要約】【課題】本発明は、特別な機器を用いずに効率よく排熱することが可能であるキャビネット１の熱対策構造を提供することを目的としている。【解決手段】本発明に係るキャビネット１の熱対策構造は、キャビネット１の上方、下方の側面にそれぞれ換気口３、２を設けると共に、キャビネット１は内部をセパレータ４により上下に仕切り、セパレータ４より上側に放熱ファン５を内蔵した発熱機器６を、セパレータ４より下側に発熱の少ない機器を設置し、下方に設けられた換気口２より取り込まれた冷気は、セパレータ４に設けられた開口を通り、発熱機器６に取り込まれ、発熱機器６からは放熱ファン５により放出されて上昇し、上方に設けられた換気口３より排出することを特徴とする。【選択図】図１
2007167548.tif 000002
【特許請求の範囲】
【請求項１】
各種機器を収納するためのキャビネットにおける熱対策構造であって、前記キャビネットの上方、下方の側面にそれぞれ換気口を設けると共に、前記キャビネットは内部をセパレータにより上下に仕切り、前記セパレータより上側に放熱ファンを内蔵した発熱機器を、前記セパレータより下側に発熱の少ない機器を設置し、前記下方に設けられた換気口より取り込まれた冷気は、前記セパレータに設けられた開口を通り、前記発熱機器に取り込まれ、該発熱機器からは前記放熱ファンにより放出されて上昇し、前記上方に設けられた換気口より排出することを特徴とするキャビネットの熱対策構造。
【発明の詳細な説明】
【技術分野】
【０００１】
本発明は、各種機器を収納するためのキャビネットにおける熱対策構造に関するものである。
【背景技術】
【０００２】
キャビネット３１には下側側面に給気孔３２を上側側面に排気孔３３を設ける。空気は温かくなると上昇するので、給気孔３２より取り込んだ空気はキャビネット３１の内部で機器によって温められた空気は排気孔３３より排出されていた。
【０００３】
キャビネット３１内部の熱を効率よく排出するためには、キャビネット３１にたくさんの換気孔を設けたり、送風ファンやエアコン等の熱対策機器を設け、強制的に熱をキャビネット３１の外に排出していた。
【非特許文献１】２００５カワムラ総合カタログ電設資材編  平成１７年５月１日発行
【発明の開示】
【発明が解決しようとする課題】
【０００４】
しかしながら、上記技術によれば、発熱機器から発せられる熱が排気孔より排出しきれず、また、キャビネットの内部を循環してしまい、発熱機器の温度をされに上昇させてしまう虞があった。
【０００５】
また、熱対策機器をした場合には、製作コストがかかり、メンテナンスに手間が掛かったり、騒音がしたりという不具合があった。
【課題を解決するための手段】
【０００６】
そこで本発明は、特別な機器を用いずに効率よく排熱することが可能であるキャビネットの熱対策構造を提供することを目的とし、その構造は、キャビネットの上方、下方の側面にそれぞれ換気口を設けると共に、キャビネットは内部をセパレータにより上下に仕切り、セパレータより上側に放熱ファンを内蔵した発熱機器を、セパレータより下側に発熱の少ない機器を設置し、下方に設けられた換気口より取り込まれた冷気は、セパレータに設けられた開口を通り、発熱機器に取り込まれ、発熱機器からは放熱ファンにより放出されて上昇し、上方に設けられた換気口より排出することを特徴とする。
【発明の効果】
【０００７】
本発明に係るキャビネットの熱対策構造は、キャビネットの上方、下方の側面にそれぞれ換気口を設けると共に、キャビネットは内部をセパレータにより上下に仕切り、セパレータより上側に放熱ファンを内蔵した発熱機器を、セパレータより下側に発熱の少ない機器を設置し、下方に設けられた換気口より取り込まれた冷気は、セパレータに設けられた開口を通り、発熱機器に取り込まれ、発熱機器からは放熱ファンにより放出されて上昇し、上方に設けられた換気口より排出するため、特別な機器を用いることなく効率よく排熱が可能である。
【発明を実施するための最良の形態】
【０００８】
効率よくキャビネットの外へ排熱するという目的を、機器に設けられている放熱ファンのみで、キャビネットにファンやエアコン等の特別な機器を取り付ける必要なく実現した。
【実施例１】
【０００９】
本発明に係るキャビネットの熱対策構造の実施例を図１〜図５の添付図面に基づいて説明する。
【００１０】
キャビネット１には下方に給気孔２、上方に排気孔３を設ける。給気孔２と排気孔３の間にセパレータ４を設け、キャビネット１の内部を上下のスペース１ａ、１ｂに分割する。セパレータ４は、開口４ａが施され、上下のスペース１ａ、１ｂ間の換気が可能である。
【００１１】
キャビネット１に収納される機器は、発熱が大きいものや小さいもの様々で、発熱の大きいものは送風ファン５が機器に内臓されることもある。キャビネット１の上側のスペース１ａには送風ファン５内臓の発熱機器６を設置する。その他の機器７については下側のスペース１ｂに設置する。下側スペース１ｂに設置した機器７は、上側スペース１ａと分割されているため、発熱機器６からの熱の影響を受けにくくしている。
【００１２】
空気の流れは、給気孔２から取り込んだ空気は下側スペース１ｂから、セパレータ４の開口４ａを通り上昇する。発熱機器６により温められた空気は、機器６に内蔵されている送風ファン５により機器６内部から排出された空気が押し上げ排気孔３から排出される。
【００１３】
上側スペース１ａで温められた空気は下側スペース１ｂに戻ることはなく、下側スペース１ｂでは給気孔２より冷気を取り込み、上側スペース１ａへ空気を排気し、上側スペース１ａに設置された発熱機器６により温められた空気は下側スペース１ｂへ流れ込まないので温度上昇が抑えられる。
【実施例２】
【００１４】
セパレータ４は両端に支持部４ｂを折曲形成し、強度を増すことにより、上面に機器を載置することが可能となる。セパレータ４に設けた開口４ａから、機器に直接空気を取り込むことができ、効率よく排熱が行える。また、セパレータ４の上面にはゴムシート８等が貼付可能である。キャビネット１の上側スペース１ａと下側スペース１ｂとの間で配線をする場合、セパレータ４の端で、ケーブルを入出線し、ゴムシート８で隙間を埋め、上側スペース１ａから下側スペース１ｂへ空気を流さないようにする。
【実施例３】
【００１５】
セパレータ４の幅いっぱいに機器を載置しない場合には、使用されないセパレータの開口４ａは盲蓋９で施蓋し、上側スペースから下側スペースへの空気の進入を防ぐこともある。
【実施例４】
【００１６】
セパレータ４の前面側にはパッキン１０が取り付け可能である。キャビネット１の扉を閉じた時に扉とセパレータ４との間の隙間をパッキン１０で埋めることができる。上下のスペース１ａ、１ｂ間で空気の行き来がないようにし、特に上側スペース１ａで温められた空気が隙間を通って下側スペース１ｂへ進入できないようにする。
【産業上の利用可能性】
【００１７】
キャビネットの内部を上下に分割するセパレータを設け、空気の循環の効率を上げ、機器により温められ上昇する空気がキャビネットの下方へ戻らないような構造とし、温度上昇に対して弱い機器をキャビネットに収納したい場合に適用できる。
【図面の簡単な説明】
【００１８】
【図１】本発明に係るキャビネットの熱対策構造を示す説明図である。（実施例１）
【図２】本発明に係るキャビネットの熱対策構造を示す説明図である。（実施例２）
【図３】本発明に係るキャビネットの熱対策構造を示す説明図である。（実施例３）
【図４】本発明に係るキャビネットの熱対策構造を示す説明図である。（実施例４）
【図５】本発明に係るキャビネットの熱対策構造における空気の流れを示す説明図である。（実施例１、２、３、４）
【図６】従来のキャビネットの内部の空気の流れを示す説明図である。
【符号の説明】
【００１９】
１    キャビネット
１ａ  上側スペース
１ｂ  下側スペース
２    給気孔
３    排気孔
４    セパレータ
４ａ  開口
４ｂ  支持部
５    放熱ファン
６    発熱機器
７    機器
８    ゴムシート
９    盲蓋
１０  パッキン
【図１】
2007167548.tif 000003
【図２】
2007167548.tif 000004
【図３】
2007167548.tif 000005
【図４】
2007167548.tif 000006
【図５】
2007167548.tif 000007
【図６】
2007167548.tif 000008